(57)【要約】【課題】蛍光管を装着する際に、ＺＩＦ構造を採用することなく、蛍光管とリード部との間の封止部に負荷が加わるのを防止でき、簡単な構造でコンタクトの接触信頼性に優れた蛍光管用ソケットの提供を目的とする。【解決手段】蛍光管を電源側に電気接続するためのソケットであって、上部が開口したコンタクト収容部を有するハウジングと、当該収容部に配置したコンタクトと、前記ハウジングの開口部に係止するカバー部とを備え、コンタクトは、蛍光管のリード部を載置する載置部と、リードが押し込まれることによって挟持する挟持部を備えた弾性片を有し、カバー部は前記弾性片にリード部を押し込むための押込部と、ハウジングに設けた被係止部に係止する係止部とを有し、カバー部をハウジングに係止する際に、カバー部に設けた押込部が蛍光管のリード部に当接し、リード部を前記弾性片の載置部から挟持部へ押し込むことを特徴とする。【選択図】  図１
2010225444.tif 000002
【特許請求の範囲】
【請求項１】
蛍光管を電源側に電気接続するためのソケットであって、
上部が開口したコンタクト収容部を有するハウジングと、当該収容部に配置したコンタクトと、前記ハウジングの開口部に係止するカバー部とを備え、
コンタクトは、蛍光管のリード部を載置する載置部と、リード部が押し込まれることによって挟持する挟持部を備えた弾性片を有し、
カバー部は前記弾性片にリード部を押し込むための押込部と、ハウジングに設けた被係止部に係止する係止部とを有し、
カバー部をハウジングに係止する際に、カバー部に設けた押込部が蛍光管のリード部に当接し、リード部を前記弾性片の載置部から挟持部へ押し込むことを特徴とする蛍光管用ソケット。
【請求項２】
カバー部は蛍光管のリード部に２ヶ所で当接する第１押込部と第２押込部を有し、前記挟持部が当該第１押込部と第２押込部との間に位置することを特徴とする請求項１記載の蛍光管用ソケット。
【請求項３】
前記弾性片は、板材にスリット状の切り込みを入れて形成され、
前記コンタクトは、弾性片に連結されたアーム部と、当該アーム部を相互に連結した補強部とを有し、当該補強部によって、蛍光管のリード部が弾性片の挟持部へ挿入される深さを制限することを特徴とする請求項１又は２記載の蛍光管用ソケット。
【発明の詳細な説明】
【技術分野】
【０００１】
本発明は蛍光管用のソケットに関し、特に液晶テレビ等の液晶表示装置のバックライト用蛍光管のソケットに適する。
【背景技術】
【０００２】
液晶表示装置のバックライトとして冷陰極蛍光管が広く採用されている。
この種の冷陰極管はガラス管の中に不活性ガスを封入し、両端の封止部から内部の電極と溶着したリード部を引き出している構造が一般的である。
従って、蛍光管をソケットに装着する際にリード部に曲げ方向の強い負荷が加わると、ガラス管の端部の封止部にも負荷がかかり、封止部からのガス洩れにより寿命が短くなったり、最悪の場合にガラス管の封止部に破損が生じる問題がある。
【０００３】
そこで従来は、特許文献１や図５に示すように、蛍光管のリード部をソケットに装着する初期状態においては、コンタクトのバネ接点部を開放状態にしておき、カバー部材等にて後からバネ接点部をリード側に押圧するＺＩＦ（Ｚｅｒｏ  Ｉｎｓｅｒｔｉｏｎ  Ｆｏｒｃｅ）構造やＬＩＦ（Ｌｏｗ  Ｉｎｓｅｒｔｉｏｎ  Ｆｏｒｃｅ）構造を採用していた。
その構造例を図５に基づいて具体的に説明すると、次のとおりである。
バネ性の一対の接点部１４２，１４２をその間が蛍光管のリード部１ａの径よりも大きい状態で立設しておき、その初期接点開放状態にて、リード部１ａをソケットの支持部１５０に載置し、カバー部材１３０を押し込むと、カバー部材に設けた傾斜部１３１にて接点部を内側に押圧し、一対のバネ性接点部にてリード部１ａを挟持する。
しかし、このようなソケット構造にあっては、コンタクトの接点部が初期状態では開放状態になるような、バネ性接点構造が必要であり、電気接続状態にするには、このバネの反発力に対抗して、常にリード側に接点部を押圧保持する別部材が必要となるために部品点数が多くなる問題がある。
また、蛍光管が点灯すると、その発熱により樹脂製のカバー部材等が変形し、接点部のバネ荷重が低下する恐れもあった。
【先行技術文献】
【特許文献】
【０００４】
【特許文献１】特開２００８−１６６０４０号公報
【発明の概要】
【発明が解決しようとする課題】
【０００５】
本発明は蛍光管を装着する際に、ＺＩＦ構造を採用することなく、蛍光管とリード部との間の封止部に負荷が加わるのを防止でき、簡単な構造でコンタクトの接触信頼性に優れた蛍光管用ソケットの提供を目的とする。
【課題を解決するための手段】
【０００６】
本発明に係る蛍光管用ソケットは、蛍光管を電源側に電気接続するためのソケットであって、上部が開口したコンタクト収容部を有するハウジングと、当該収容部に配置したコンタクトと、前記ハウジングの開口部に係止するカバー部とを備え、コンタクトは、蛍光管のリード部を載置する載置部と、リードが押し込まれることによって挟持する挟持部を備えた弾性片を有し、カバー部は前記弾性片にリード部を押し込むための押込部と、ハウジングに設けた被係止部に係止する係止部とを有し、カバー部をハウジングに係止する際に、カバー部に設けた押込部が蛍光管のリード部に当接し、リード部を前記弾性片の載置部から挟持部へ押し込むことを特徴とする。
ここで、本発明に係るソケットを適用する蛍光管は、ガラス管の端部の封止部に過度の負荷がかからないようにするものであり、熱陰極蛍光管でもよいが、特にガラス管の径が小さく、リード部が脆弱で変形しやすい冷陰極蛍光管に適用するのが効果的である。
また、本明細書にて上部とは、蛍光管をソケットに装置する方向における位置関係においての上方をいう。
本発明において、カバー部とは蛍光管のリード部を弾性片の載置部に載置し、その後からコンタクト収容部の開口部を概ね塞ぐようにハウジングに係止するものをいう。
【０００７】
蛍光管のリード部は脆弱であるので、カバー部は蛍光管のリード部に２ヶ所で当接する第１押込部と第２押込部を有し、前記挟持部が当該第１押込部と第２押込部との間に位置するようにしてもよい。
【０００８】
前記弾性片は、板材にスリット状の切り込みを入れて形成され、前記コンタクトは、弾性片に連結されたアーム部と、当該アーム部を相互に連結した補強部とを有し、当該補強部によって、蛍光管のリード部が弾性片の挟持部へ挿入される深さを制限するようにしてもよい。
【発明の効果】
【０００９】
本発明に係る蛍光管用ソケットにあっては、ハウジングに設けたコンタクト収容部の上部を開口した状態にて蛍光管のリード部を弾性片の載置部に無負荷の状態で載置し、その上からカバー部に設けた押込部でリード部を弾性片の挟持部に押し込むようにして当該カバー部をコンタクト収容部の開口部に係止することになるので、リード部の根元になるガラス管の封止部にストレスが加わらないため、封止部からのガス洩れによる寿命の短命化を防止できる。
【００１０】
また、カバー部に設けた押込部がリード部の抜け止めになり、ソケットに振動や衝撃が加わっても蛍光管がソケットから脱落したり、接触不良となるのを防止する。
【００１１】
本発明において、カバー部に第１押込部と第２押込部を設け、この第１押込部と第２押込部の間に弾性片の挟持部が位置するようにすると、さらにリード部にのみ力が加わるように押圧するので封止部へのストレスがさらに低減できる。
【００１２】
本発明においては、コンタクトを板材にスリット状の切り込みを入れて、リード部の載置部と押し込みにより挟持する挟持部を有する弾性片を形成することも可能であり、このようにするとコンタクトの構造が簡素化される。
その場合に、スリット状の切り込みを入れた弾性片に連結したアーム部とこのアーム部を相互に連結した補強部を設けると、この補強部にてリード部の上部からの挿入深さが制限されることによって、弾性片挟持部の所望位置にリード部が適切に固定される。
【図面の簡単な説明】
【００１３】
【図１】本発明に係る蛍光管用ソケットの外観図を示し、（ａ）はカバー部を開いた状態を示し、（ｂ）は蛍光管をソケットに装着し、カバー部をハウジングに係止した状態を示す。
【図２】蛍光管ソケットのカバー部を開いた状態の背面斜視図を示す。
【図３】蛍光管用ソケットの断面図を示し、（ａ）はカバー部を開いた状態を示し、（ｂ）はカバー部を閉じようとしている状態を示し、（ｃ）はカバー部を閉じた状態を示す。
【図４】リード部と弾性片との位置関係を示し、（ａ）はリード部を弾性片の間に載置した状態を示し、（ｂ）はカバー部に設けた押込部でリード部を押し込む状態を示し、（ｃ）はその押し込み完了状態を示す。
【図５】従来のソケット構造例を示す。
【発明を実施するための形態】
【００１４】
本発明に係る蛍光管用ソケット（以下単にソケットと称する。）の構造例を以下、図面に基づいて説明する。
図１はソケット１０の外観図を示し、（ａ）はカバー部３０を開いた状態を示し、（ｂ）はソケット１０に蛍光管１を装着した状態を示す。
図２はカバー部３０を開いた状態の背面斜視図を示す。
図３は断面図を示す。
【００１５】
ソケット１０はハウジング２０にカバー部３０をヒンジ状の薄肉化した連結部３１にて連結してあり、樹脂材料にて一体成形した例となっている。
ハウジング１０は、図示を省略したシャーシ等に孔を明けて差し込むことで取り付けるための取付ベース部２１とロック部２１ａを有し、下部に制御回路を形成した基板２を差し込むための基板挿入口２２を有している。
ハウジングの内部は側壁２３ａ等を立設することで中空空間を形成し、図３をみると分かりやすいように上部が開口したコンタクト収容部２３を形成し、その中にコンタクト４０を配置してある。
【００１６】
コンタクト４０は金属板を折り曲げて製作してあり、下端側は基板挿入口２２に臨むように略Ｌ字型に折り曲げ、さらに先端よりを山形に折り曲げて基板２との接点部４４を形成することで基板２と電気接続する。
コンタクト４０の上方側は、板状のコンタクトベース部４１の中央部を切り抜くとともに、スリット状の隙間を形成することで一対の弾性片４２，４２を立設してある。
一対の弾性片４２，４２の接点部付近の拡大図を図４に示す。
一対の弾性片の間のスリット形状は２段形状に形成してあり、上段は蛍光管１のリード部１ａが入りやすいように、両側の弾性片４２にて谷状の傾斜部を形成しつつ、リード部１ａを無負荷で載置できるように、載置部４２ａを設けてある。
この載置部４２ａは一対の弾性片４２で形成した両側の載置部４２ａの側部がリード部１ａの径よりもやや広く、下部側の間隔がリード部１ａの径よりもやや小さくなっている。
スリットの上段の載置部４２ａの下段側は一対の弾性片４２，４２で形成したリード部１ａの径よりも狭く形成し、リード部１ａを押し込むと弾性的に広くなるように変形して挟持する挟持部４２ｂ，４２ｂとなっている。
挟持部４２ｂの下側は、それ以上リード部１ａが押し込まれないようにさらに隙間が狭くなったリード受け部４２ｃとなっている。
【００１７】
コンタクト４０の一対の弾性片４２，４２の上端は逆Ｕ字状に折り返したアーム部４４を形成し、一対のアーム部４４の先端部よりは、リード部１ａの挟持部の下端位置にて連結した補強部４３となっている。
従って、リード部１ａはこの補強部４３に当接することで、それ以上深く押し込まれないようになっている。
図１（ａ）及び図２に示すように一対の弾性片４２，４２はハウジング２０に設けたスリット状の弾性片スライド保持部２５にて板状の弾性片４２のスライド移動を許容しつつ、両面を保持している。
これにより一対の弾性片４２，４２が安定して広狭弾性変形する。
コンタクト４０の補強部４３はハウジング２０に設けたスリット状の差し込み部２６に差し込み固定してある。
【００１８】
カバー部３０はリード部１ａの側部に当接し、一対の弾性片４２，４２で形成した挟持部４２ｂ，４２ｂの間にリード部１ａを押し込むための突部形状の第１押込部３２と第２押込部３３とを有し、カバー部３０の開閉方向の両側には、カバーベース部３０ａからＬ字形状部３４ａを形成して突出延在させ、中央部を切り抜いた係止部３４を設け、ハウジング側に形成した突部形状の被係止部２４に嵌合係止するようになっている。
なお、カバー部をハウジングに係止できれば本実施例に限定されない。
【００１９】
次に、ソケット１０に蛍光管１を装着する手順を説明する。
図３（ａ）に示すようにハウジング２０のコンタクト収容部２３の開口部が開口するようにカバー部３０を開き、一対の弾性片４２，４２で形成した載置部４２ａ，４２ａに無負荷で蛍光管１のリード部１ａを載置する。
この状態を図４（ａ）に示す。
この初期状態から、カバー部３０を連結部３１を起点にして回動し、開口部を閉じるようにすると、図３（ｂ）に示すようにカバー部３０に設けた第１押込部３２と第２押込部３３とがリード部１ａの上部側の側部に当接する。
この場合に第１押込部３２と第２押込部３３との間に弾性片の載置部４２ａ，４２ａが位置する。
カバー部３０をさらに閉じるように押圧すると、図３（ｂ），（ｃ）及び図４（ｂ），（ｃ）に示すように一対の弾性片４２，４２の間が広がるようにリード部１ａが押し込まれ、挟持部４２ｂ，４２ｂの間に弾性挟持される。
この押し込み移動の際には、カバー部３０に設けた押込部３２，３３がリード部１ａにのみ当接するので蛍光管１の端部の封止部１ｂにストレスが加わらない。
カバー部３０の係止部３４はハウジング側に設けた被係止部２４に係止ロックされるので押込部３２，３３がストッパーとして作用し、リード部１ａがソケットから脱落するのを防止する。
また、押し込まれたリード部１ａは、補強部４３に当接することでリード部１ａの挿入深さが制限され、挟持部４２ｂ，４２ｂの所定位置に適切に固定される。
【符号の説明】
【００２０】
１        蛍光管
２        基板
１０      ソケット
２０      ハウジング
２１      取付ベース部
２２      基板挿入口
２３      コンタクト収容部
２４      被係止部
２５      弾性片スライド保持部
３０      カバー部
３０ａ    カバーベース部
３１      連結部
３２      第１押込部
３３      第２押込部
３４      係止部
４０      コンタクト
４１      コンタクトベース部
４２      弾性片
４２ａ    載置部
４２ｂ    挟持部
４３      補強部
４４      アーム部
【図１】
2010225444.tif 000003
【図２】
2010225444.tif 000004
【図３】
2010225444.tif 000005
【図４】
2010225444.tif 000006
【図５】
2010225444.tif 000007